(57)【要約】【課題】極めて簡単な構造で断熱を施す必要がなく、生産性の高い吸着式除湿機を提供しようとするものである。【解決手段】ハニカム状ローター１の端面に接する平面を有し、その反対面に吸着ゾーンを形成する吸着チャンバー３と脱着ゾーンを形成する脱着チャンバー４とを形成し、吸着チャンバー３と脱着チャンバー４とがそれぞれ離間した状態で形成されているチャンバーユニット２，１４を一対設け、一対のチャンバーユニット２，１４のそれぞれがハニカム状ローター１の両端面にそれぞれ接するよう取り付けた。【選択図】　図３
2004057994.tif 000002
【特許請求の範囲】
【請求項１】
ハニカム状ローターの端面に接する平面を有し、その反対面に吸着ゾーンを形成する吸着チャンバーと脱着ゾーンを形成する脱着チャンバーとを有し、前記吸着チャンバーと脱着チャンバーとがそれぞれ離間した状態で形成されているチャンバーユニットを一対設け、前記一対のチャンバーユニットのそれぞれがハニカム状ローターの各端面に接するよう取り付けられた吸着式除湿機。
【請求項２】
各チャンバー間の漏れはハニカム状ローターの端面と接するシール幅Ｗを有する平面との密着によって確保される請求項１記載の吸着式除湿機。
【請求項３】
各チャンバーはシール幅Ｗから各チャンバーの壁の厚さを引いた長さだけ離間している請求項２記載の吸着式除湿機。
【請求項４】
各チャンバーユニットは鋳物によって一体的に形成されている請求項１記載の吸着式除湿機。
【発明の詳細な説明】
【０００１】
【発明の属する技術分野】
本発明は、吸着式除湿機に関するもので、特に低露点の空気を供給するために適したものである。
【０００２】
【従来の技術】
吸着式除湿機は冷凍式のものと比較して低露点の空気を供給するのに適しており、精密に空気条件を整える必要のある工場や食品への黴の発生の防止など、近年急速に用途が拡大している。特にシリカゲルやゼオライトなどの湿気吸着剤を担持したハニカム状ローターを使用した吸着式除湿機は構造が簡単で安価であるために広く普及している。
【０００３】
このようなハニカム状ローターを使用した吸着式除湿機は、少なくともハニカム状ローターを吸着ゾーンと脱着ゾーンとに分割するチャンバーやあるいはこれに加えて冷却ゾーンを加えたチャンバーを有している。このようなチャンバーの例として特許出願公開昭和５８年第１１９３２３号公報に開示されたものなどがある。
【０００４】
【発明が解決しようとする課題】
このようなチャンバーにあっては、脱着ゾーンに高温の空気を流すのであるが、その熱が冷却ゾーンや吸着ゾーンへ伝わると脱着ゾーンに流す空気の温度が下がりエネルギーの無駄が生じるだけでなく、冷却ゾーンや吸着ゾーンへ流れる空気の温度が上昇することによって吸着性能が下がるという問題がある。
【０００５】
このため脱着ゾーンを発泡シリコン樹脂やガラス繊維などの耐熱性のある断熱材で囲む必要があり、生産性の低いものであった。
【０００６】
本発明は極めて簡単な構造で断熱を施す必要がなく、生産性の高い吸着式除湿機を提供しようとするものである。
【０００７】
【課題を解決するための手段】
本件発明は以上のような課題を解決するため、ハニカム状ローターの端面に接する平面を有し、その反対面に吸着ゾーンを形成する吸着チャンバーと脱着ゾーンを形成する脱着チャンバーとを形成し、吸着チャンバーと脱着チャンバーとがそれぞれ離間した状態で形成されているチャンバーユニットを一対設け、一対のチャンバーユニットのそれぞれがハニカム状ローターの各端面に接するよう取り付けた。
【０００８】
【発明の実施の形態】
本発明の請求項１に記載の発明は、ハニカム状ローターの端面に接する平面を有し、その反対面に吸着ゾーンを形成する吸着チャンバーと脱着ゾーンを形成する脱着チャンバーとを有し、吸着チャンバーと脱着チャンバーとがそれぞれ離間した状態で形成されているチャンバーユニットを一対設け、一対のチャンバーユニットのそれぞれがハニカム状ローターの各端面に接するよう取り付けられたものであり、吸着チャンバーと脱着チャンバーとがそれぞれ離間しその間に熱の伝達が発生しないという作用を有する。
【０００９】
【実施例】
以下本発明の吸着式除湿機の実施例について図に沿って詳細に説明する。図１は図２のＡ−Ａ断面図、図３は図２のＢ−Ｂ断面図である。図２において１は除湿ローターであり、セラミックペーパーなどの無機繊維ペーパーをハニカム（蜂の巣）状に形成し、シリカゲルやゼオライトのような湿気吸着剤がハニカム状に形成された無機繊維ペーパー上に担持されている。また除湿ローター１はギヤドモーター（図示せず）より回転駆動される。
【００１０】
２は上部チャンバーユニットであり、例えばアルミニウムの鋳物やダイキャスト製である。上部チャンバーユニット２は吸着チャンバー３と脱着チャンバー４とパージチャンバー５とを有している。つまり上部チャンバーユニット２は除湿ローター１の端面に接する平面部６の上に吸着チャンバー３と脱着チャンバー４とパージチャンバー５とが形成され、図１、図３及び図４に示されるとおり、それぞれのチャンバーは互いに離間している。
【００１１】
また吸着チャンバー３と脱着チャンバー４とパージチャンバー５にはそれぞれ空気口７，８，９が設けられている。
【００１２】
１０は下部チャンバーユニットである。この下部チャンバーユニット１０は上部チャンバーユニット２と対称的な形状を有し、これにも底面図である図６及び図２のＢ−Ｂ断面図である図５に示すように吸着チャンバー１１と脱着チャンバー１２とパージチャンバー１３が平面部１４上に設けられている。そしてそれぞれのチャンバーは互いに離間している。
【００１３】
図６に示すように吸着チャンバー１１には空気口１５が設けられ、脱着チャンバー１２には空気口１６が設けられ、パージチャンバー１３には空気口１７が設けられている。
【００１４】
図８は図１のＣ−Ｃ断面図である。図８から判るように各ゾーン間のシール幅Ｗは、各ゾーン間で空気が漏れないようにするために十分な幅Ｗを確保する必要がある。この幅Ｗがあるためにこの幅Ｗに一致させて図８では吸着チャンバー３とパージチャンバー５との間を離間させることができる。厳密に表現すると、各チャンバーはシール幅Ｗから各チャンバーの壁の厚さを引いた長さだけ離間している。
【００１５】
しかもこうすることによって、図８で判るように各チャンバーの内面は平面部６の下端面に向かってストレートになる。従ってチャンバーユニットを作る際に鋳物の場合は中子が必要でなく、ダイキャストや合成樹脂の射出成型によっても容易に作ることができる。
【００１６】
また上部チャンバーユニット２の吸着チャンバー３と下部チャンバーユニット１０の吸着チャンバー１１は互いに除湿ローター１を介して対向するように形成され、上部チャンバーユニット２の脱着チャンバー４と下部チャンバーユニット１０の脱着チャンバー１２も互いに除湿ローター１を介して対向するように形成されている。そして上部チャンバーユニット２のパージチャンバー５と下部チャンバーユニット１０のパージチャンバー１３も互いに除湿ローター１を介して対向するように形成されている。
【００１７】
上部チャンバーユニット２の平面部６の３つの頂点それぞれにボルト孔１８，１９，２０が形成されており、下部チャンバーユニット１０の平面部１４の３つの頂点それぞれにボルト孔２１，２２，２３が形成されている。そしてボルト孔１８とボルト孔２２に１本の長いボルト（図示せず）が貫通して固定され、同様にボルト孔２０とボルト孔２３に１本の長いボルト、ボルト孔１８とボルト孔２１に１本の長いボルト貫通して固定され、これによって上部チャンバーユニット２と下部チャンバーユニット１０の間に除湿ローター１が挟まれた状態となる。この除湿ローター１を挟む圧力は、除湿ローター１が無理なく回転可能であって、かつ平面部６及び平面部１４と除湿ローター１の端面との間で空気の漏れが発生しない程度とする。
【００１８】
次に以上構成の本発明の吸着式除湿機の動作について説明する。除湿ローター１を駆動ベルト（図示せず）等を介し回転させながら、上部チャンバーユニット２の吸着ゾーン３内に空気口７より被処理空気を流す。すると図７に示すように被処理空気は除湿ローター１を通過し、乾燥空気となって除湿ローター１吸着ゾーン１１に入り、空気口１５より排出される。空気口１５にダクト等を取り付け、乾燥空気の供給先へ乾燥空気を送る。
【００１９】
被処理空気が除湿ローター１を通過する際に、被処理空気中の湿気が除湿ローター１の吸着剤に吸着され、吸着熱を発生する。このため下部チャンバーユニット１０の吸着ゾーン１１を通過する乾燥空気の温度は上昇している。図５に示すように吸着ゾーン１１はパージゾーン１３と離間しているため、吸着ゾーン１１の熱はパージゾーン１３へ伝わることがない。
【００２０】
除湿ローター１に吸着された湿気を除去するために、下部チャンバーユニット１０の脱着ゾーン１２に温度１００℃〜１５０℃程度の熱風を送る。するとこの熱風が除湿ローター１を通過する間に除湿ローター１に吸着された湿気は脱着され、上部チャンバーユニット２の脱着ゾーン４を多湿空気が通過する。
【００２１】
そして上部チャンバーユニット２のパージゾーン５から空気を送ると空気は除湿ローター１を通過する。この除湿ローター１の通過中に脱着空気によって温度の上がった除湿ローター１が冷却されるとともに、下部チャンバーユニット１０のパージゾーン１３に入る空気の温度が上昇する。
【００２２】
パージゾーン１３に入る空気の温度が上昇しているため、ここを出た空気をさらにヒーター（図示せず）によって加熱し、脱着ゾーン１２に入れるようにするとエネルギーの回収を行うことができる。
【００２３】
以上の実施例では上部チャンバーユニットも下部チャンバーユニットも吸着ゾーン、脱着ゾーン、パージゾーンを設ける例を示したが、上部チャンバーユニット及び下部チャンバーユニットともパージゾーンを設けず、吸着ゾーン、脱着ゾーンのみでもよい。
【００２４】
【発明の効果】
本発明の吸着式除湿機は上記の如く構成したので、上部チャンバーユニットも下部チャンバーユニットも吸着ゾーン、脱着ゾーン、パージゾーンが各々独立し互いに離間しているため、ゾーン間の熱の移動がなく、断熱を施す必要がない。
【００２５】
また吸着ゾーン、脱着ゾーン、パージゾーンが各々独立し互いに離間しているため、各ゾーンの間のシール幅Ｗを十分に大きく取ることができ、シール効果を十分確保することができる。
【００２６】
さらに本発明の吸着式除湿機は吸着ローターに接して気密をはかる平面部と、吸着ゾーン、脱着ゾーン、パージゾーンとを一体に作ることができるため、鋳物やダイキャストあるいは合成樹脂の成型によって容易に量産することができる。
【図面の簡単な説明】
【図１】本発明の吸着式除湿機の実施例を示す図２のＡ−Ａ断面図である。
【図２】本発明の吸着式除湿機の一例を示す正面図である。
【図３】本発明の吸着式除湿機の一例を示す斜視図である。
【図４】本発明の吸着式除湿機の一例を示す上面図である。
【図５】本発明の吸着式除湿機の実施例を示す図２のＢ−Ｂ断面図である。
【図６】本発明の吸着式除湿機の一例を示す下面図である。
【図７】本発明の吸着式除湿機の空気の流れを示す斜視図である。
【図８】本発明の吸着式除湿機の実施例を示す図１のＣ−Ｃ断面図である。
【符号の説明】
１　除湿ローター
２　上部チャンバーユニット
３　吸着チャンバー
４　脱着チャンバー
５　パージチャンバー
６　平面部
７，８，９　空気口
１０　下部チャンバーユニット
１１　吸着チャンバー
１２　脱着チャンバー
１３　パージチャンバー
１４　平面部
１５，１６，１７　空気口
１８，１９，２０，２１，２２，２３　ボルト孔
【図１】
2004057994.tif 000003
【図２】
2004057994.tif 000004
【図３】
2004057994.tif 000005
【図４】
2004057994.tif 000006
【図５】
2004057994.tif 000007
【図６】
2004057994.tif 000008
【図７】
2004057994.tif 000009
【図８】
2004057994.tif 000010
【手続補正書】
【提出日】平成15年6月26日(2003.6.26)
【手続補正１】
【補正対象書類名】明細書
【補正対象項目名】０００９
【補正方法】変更
【補正の内容】
【０００９】
【実施例】
以下本発明の吸着式除湿機の実施例について図に沿って詳細に説明する。図１は図２のＡ−Ａ断面図、図５は図２のＢ−Ｂ断面図である。図２において１は除湿ローターであり、セラミックペーパーなどの無機繊維ペーパーをハニカム（蜂の巣）状に形成し、シリカゲルやゼオライトのような湿気吸着剤がハニカム状に形成された無機繊維ペーパー上に担持されている。また除湿ローター１はギヤドモーター（図示せず）より回転駆動される。


【手続補正２】
【補正対象書類名】明細書
【補正対象項目名】００１７
【補正方法】変更
【補正の内容】
【００１７】
上部チャンバーユニット２の平面部６の３つの頂点それぞれにボルト孔１８，１９，２０が形成されており、下部チャンバーユニット１０の平面部１４の３つの頂点それぞれにボルト孔２１，２２，２３が形成されている。そしてボルト孔１８とボルト孔２２に１本の長いボルト（図示せず）が貫通して固定され、同様にボルト孔２０とボルト孔２３に１本の長いボルト、ボルト孔１９とボルト孔２１に１本の長いボルトが貫通して固定され、これによって上部チャンバーユニット２と下部チャンバーユニット１０の間に除湿ローター１が挟まれた状態となる。この除湿ローター１を挟む圧力は、除湿ローター１が無理なく回転可能であって、かつ平面部６及び平面部１４と除湿ローター１の端面との間で空気の漏れが発生しない程度とする。


【手続補正３】
【補正対象書類名】明細書
【補正対象項目名】００１８
【補正方法】変更
【補正の内容】
【００１８】
次に以上構成の本発明の吸着式除湿機の動作について説明する。除湿ローター１を駆動ベルト（図示せず）等を介し回転させながら、上部チャンバーユニット２の吸着ゾーン３内に空気口７より被処理空気を流す。すると図７に示すように被処理空気は除湿ローター１を通過し、乾燥空気となって除湿ローター１の吸着ゾーン１１に入り、空気口１５より排出される。空気口１５にダクト等を取り付け、乾燥空気の供給先へ乾燥空気を送る。